(57)【特許請求の範囲】
【請求項１】
外部装置と接触して情報の授受を行う接触用インターフェイスと、
外部装置と非接触で情報の授受を行う非接触用インターフェイスと、
前記接触用インターフェイス及び／又は前記非接触用インターフェイスと接続可能であって、接触用のデータを記憶する接触用メモリと、
前記接触用インターフェイス及び／又は前記非接触用インターフェイスと接続可能であって、非接触用のデータを記憶する非接触用メモリと、
前記接触インターフェイスに前記接触用メモリ及び前記非接触用メモリを接続して、データを書き込むメモリアクセス手段と、
前記接触インターフェイスと前記非接触用メモリとを理論的又は物理的に切り離すメモリアクセス制御手段と、を備え、
前記メモリアクセス制御手段は、前記接触インターフェイスと前記非接触用メモリとの切断を、フラグ処理によって行うこと、を特徴とする携帯可能記憶媒体。
【請求項２】
外部装置と接触して情報の授受を行う接触用インターフェイスと、
外部装置と非接触で情報の授受を行う非接触用インターフェイスと、
前記接触用インターフェイス及び／又は前記非接触用インターフェイスと接続可能であって、接触用のデータを記憶する接触用メモリと、
前記接触用インターフェイス及び／又は前記非接触用インターフェイスと接続可能であって、非接触用のデータを記憶する非接触用メモリと、
前記接触インターフェイスに前記接触用メモリ及び前記非接触用メモリを接続して、データを書き込むメモリアクセス手段と、
前記接触インターフェイスと前記非接触用メモリとを理論的又は物理的に切り離すメモリアクセス制御手段と、を備え、
前記メモリアクセス制御手段は、前記接触インターフェイスと前記非接触用メモリとの切断を、ヒューズによって行うこと、を特徴とする携帯可能記憶媒体。
【請求項３】
外部装置と接触して情報の授受を行う接触用インターフェイスと、
外部装置と非接触で情報の授受を行う非接触用インターフェイスと、
前記接触用インターフェイス及び／又は前記非接触用インターフェイスと接続可能であって、接触用のデータを記憶する接触用メモリと、
前記接触用インターフェイス及び／又は前記非接触用インターフェイスと接続可能であって、非接触用のデータを記憶する非接触用メモリと、
前記非接触インターフェイスに前記接触用メモリ及び前記非接触用メモリを接続して、データを書き込むメモリアクセス手段と、
前記非接触インターフェイスと前記接触用メモリとを理論的又は物理的に切り離すメモリアクセス制御手段と、を備え、
前記メモリアクセス制御手段は、前記非接触インターフェイスと前記接触用メモリとの切断を、フラグ処理によって行うこと、を特徴とする携帯可能記憶媒体。
【請求項４】
外部装置と接触して情報の授受を行う接触用インターフェイスと、
外部装置と非接触で情報の授受を行う非接触用インターフェイスと、
前記接触用インターフェイス及び／又は前記非接触用インターフェイスと接続可能であって、接触用のデータを記憶する接触用メモリと、
前記接触用インターフェイス及び／又は前記非接触用インターフェイスと接続可能であって、非接触用のデータを記憶する非接触用メモリと、
前記非接触インターフェイスに前記接触用メモリ及び前記非接触用メモリを接続して、データを書き込むメモリアクセス手段と、
前記非接触インターフェイスと前記接触用メモリとを理論的又は物理的に切り離すメモリアクセス制御手段と、を備え、
前記メモリアクセス制御手段は、前記非接触インターフェイスと前記接触用メモリとの切断を、ヒューズによって行うこと、を特徴とする携帯可能記憶媒体。
【請求項５】
外部装置と接触して情報の授受を行う接触用インターフェイスと、外部装置と非接触で情報の授受を行う非接触用インターフェイスと、前記接触用インターフェイス及び／又は前記非接触用インターフェイスと接続可能であって、接触用のデータを記憶する接触用メモリと、前記接触用インターフェイス及び／又は前記非接触用インターフェイスと接続可能であって、非接触用のデータを記憶する非接触用メモリと、を含む携帯可能記憶媒体を製造する携帯可能記憶媒体の発行方法であって、
前記接触インターフェイスに前記接触用メモリ及び前記非接触用メモリを接続して、データを書き込む書込工程と、
前記データ書き込み工程でデータを書き込んだ後に、前記接触インターフェイスと前記非接触用メモリとを理論的又は物理的に切り離す切離工程と、を備え、
前記切離工程は、前記接触インターフェイスと前記非接触用メモリとの切断を、フラグ処理によって行うこと、を特徴とする携帯可能記憶媒体の発行方法。
【請求項６】
外部装置と接触して情報の授受を行う接触用インターフェイスと、外部装置と非接触で情報の授受を行う非接触用インターフェイスと、前記接触用インターフェイス及び／又は前記非接触用インターフェイスと接続可能であって、接触用のデータを記憶する接触用メモリと、前記接触用インターフェイス及び／又は前記非接触用インターフェイスと接続可能であって、非接触用のデータを記憶する非接触用メモリと、を含む携帯可能記憶媒体を製造する携帯可能記憶媒体の発行方法であって、
前記非接触インターフェイスに前記接触用メモリ及び前記非接触用メモリを接続して、データを書き込む書込工程と、
前記データ書き込み工程でデータを書き込んだ後に、前記非接触インターフェイスと前記接触用メモリとを理論的又は物理的に切り離す切離工程と、を備え、
前記切離工程は、前記接触インターフェイスと前記非接触用メモリとの切断を、フラグ処理によって行うこと、を特徴とする携帯可能記憶媒体の発行方法。
【請求項７】
外部装置と接触して情報の授受を行う接触用インターフェイスと、
外部装置と非接触で情報の授受を行う非接触用インターフェイスと、
前記接触用インターフェイス及び／又は前記非接触用インターフェイスと接続可能であって、接触用及び／又は非接触用のデータを記憶するメモリ領域と、
前記メモリ領域を２以上のページに分割し、前記接触用インターフェイス及び／又は前記非接触用インターフェイスと前記２以上のページの内、特定のペ−ジとのデータの授受を規制するメモリアクセス規制手段と、
前記メモリ領域上又は前記メモリ領域とは別の第２のメモリ領域上に前記２以上のページに１対１で対応したフラグを備え、
前記メモリアクセス規制手段は、前記フラグにより、前記接触用インターフェイス及び／又は前記非接触用インターフェイスと前記特定のページとのデータの授受を規制すること、を特徴とする携帯可能記憶媒体。
【発明の詳細な説明】
【０００１】
【発明の属する技術分野】
本発明は、接触／非接触の両方のインターフェイスを有するＩＣカードなどの携帯可能記憶媒体及びその発行方法に関するものである。
【０００２】
【従来の技術】
従来、この種の携帯可能記憶媒体は、接触／非接触の両方のインターフェイスを有するものでは、接触用と非接触用のアプリケーションでセキュリティレベルに差があるので、運用時には、メモリを論理的又は物理的に切り離しており、発行時には、それぞれ別のインターフェイスを介して、データを書き込んで発行していた。すなわち、このような携帯可能記憶媒体は、接触用インターフェイスによって接触用メモリのデータ設定を行い、非接触用インターフェイスによって非接触用メモリのデータ設定を行っていた。
【０００３】
また、メモリには、書換可能な不揮発性メモリであるＥＥＰＲＯＭが使用される。このＥＥＰＲＯＭは、そのハードウェアの制限から１度に書き込み可能な範囲を示すページという概念があり、たとえば、１ページ＝６４ｂｙｔｅｓのチップであったとすると１ｂｙｔｅの書き込みには、１ページ、６５ｂｙｔｅｓの書き込みには、２ページ書き込みを行う必要がある。ここで、ＥＥＰＲＯＭの全容量が１６ＫＢとすると、総ページ数は、２５６ページとなる。この２５６ページを適宜分割することで、接触用メモリ、非接触用メモリ等のような領域分割を行っていたが、このような、メモリ領域分割は、携帯可能記憶媒体の発行時にハードウェアで決められていた。
【０００４】
【発明が解決しようとする課題】
しかし、前述した従来の携帯可能記憶媒体は、接触／非接触の両方のインターフェイスを有する場合には、発行時に、それぞれのインターフェイスを介して発行していたので、特に、非接触用メモリに関して、接触式と比較して不安定であるうえ、無線通信を不正に傍受されやすく、通信速度も遅いという問題があった。
【０００５】
また、接触／非接触の両方のインターフェイスを有する場合に、既存の媒体発行装置が、いずれか一方のインターフェイスにしか対応していないときには、設備の変更が必要となり、コストアップの原因となっていた。
【０００６】
さらにまた、前述したように接触用メモリ、非接触用メモリ等のようなメモリ領域は、携帯可能記憶媒体の発行時にハードウェアで決められていたので、アプリケーションプログラムやデータを格納できる領域に制限ができてしまい、携帯可能記憶媒体の利用目的別にチップを用意する必要があったり、利用目的や利用方法等を変更したいときには、新しく携帯可能記憶媒体を発行する必要があり、コストアップの原因にもなっていた。
【０００７】
そこで、本発明の目的は、接触用メモリ／非接触用メモリを問わず、安定で、不正に傍受されにくく、しかも、通信速度の速い携帯可能記憶媒体及びその発行方法を提供することである。
【０００８】
また、本発明の第２の目的は、接触／非接触のいずれか一方のインターフェイスにしか対応していない媒体発行装置であっても、発行を可能とする携帯可能記憶媒体及びその発行方法を提供することである。
【０００９】
さらに、本発明の第３の目的は、接触用メモリ／非接触用メモリ及び接触／非接触共用メモリ等の使用領域に関わらず、利用目的別にチップを用意する必要がなく、利用目的や利用方法等を変更可能な携帯可能記憶媒体を提供することである。
【００１０】
【課題を解決するための手段】
前記課題を解決するために、請求項１の発明は、外部装置と接触して情報の授受を行う接触用インターフェイスと、外部装置と非接触で情報の授受を行う非接触用インターフェイスと、前記接触用インターフェイス及び／又は前記非接触用インターフェイスと接続可能であって、接触用のデータを記憶する接触用メモリと、前記接触用インターフェイス及び／又は前記非接触用インターフェイスと接続可能であって、非接触用のデータを記憶する非接触用メモリと、前記接触インターフェイスに前記接触用メモリ及び前記非接触用メモリを接続して、データを書き込むメモリアクセス手段と、前記接触インターフェイスと前記非接触用メモリとを理論的又は物理的に切り離すメモリアクセス制御手段と、を備え、前記メモリアクセス制御手段は、前記接触インターフェイスと前記非接触用メモリとの切断を、フラグ処理によって行うこと、を特徴とする携帯可能記憶媒体である。
【００１１】
請求項２の発明は、外部装置と接触して情報の授受を行う接触用インターフェイスと、外部装置と非接触で情報の授受を行う非接触用インターフェイスと、前記接触用インターフェイス及び／又は前記非接触用インターフェイスと接続可能であって、接触用のデータを記憶する接触用メモリと、前記接触用インターフェイス及び／又は前記非接触用インターフェイスと接続可能であって、非接触用のデータを記憶する非接触用メモリと、前記接触インターフェイスに前記接触用メモリ及び前記非接触用メモリを接続して、データを書き込むメモリアクセス手段と、前記接触インターフェイスと前記非接触用メモリとを理論的又は物理的に切り離すメモリアクセス制御手段と、を備え、前記メモリアクセス制御手段は、前記接触インターフェイスと前記非接触用メモリとの切断を、ヒューズによって行うこと、を特徴とする携帯可能記憶媒体である。
【００１２】
請求項３の発明は、外部装置と接触して情報の授受を行う接触用インターフェイスと、外部装置と非接触で情報の授受を行う非接触用インターフェイスと、前記接触用インターフェイス及び／又は前記非接触用インターフェイスと接続可能であって、接触用のデータを記憶する接触用メモリと、前記接触用インターフェイス及び／又は前記非接触用インターフェイスと接続可能であって、非接触用のデータを記憶する非接触用メモリと、前記非接触インターフェイスに前記接触用メモリ及び前記非接触用メモリを接続して、データを書き込むメモリアクセス手段と、前記非接触インターフェイスと前記接触用メモリとを理論的又は物理的に切り離すメモリアクセス制御手段と、を備え、前記メモリアクセス制御手段は、前記非接触インターフェイスと前記接触用メモリとの切断を、フラグ処理によって行うこと、を特徴とする携帯可能記憶媒体である。
【００１３】
請求項４の発明は、外部装置と接触して情報の授受を行う接触用インターフェイスと、外部装置と非接触で情報の授受を行う非接触用インターフェイスと、前記接触用インターフェイス及び／又は前記非接触用インターフェイスと接続可能であって、接触用のデータを記憶する接触用メモリと、前記接触用インターフェイス及び／又は前記非接触用インターフェイスと接続可能であって、非接触用のデータを記憶する非接触用メモリと、前記非接触インターフェイスに前記接触用メモリ及び前記非接触用メモリを接続して、データを書き込むメモリアクセス手段と、前記非接触インターフェイスと前記接触用メモリとを理論的又は物理的に切り離すメモリアクセス制御手段と、を備え、前記メモリアクセス制御手段は、前記非接触インターフェイスと前記接触用メモリとの切断を、ヒューズによって行うこと、を特徴とする携帯可能記憶媒体である。
【００１４】
請求項５の発明は、外部装置と接触して情報の授受を行う接触用インターフェイスと、外部装置と非接触で情報の授受を行う非接触用インターフェイスと、前記接触用インターフェイス及び／又は前記非接触用インターフェイスと接続可能であって、接触用のデータを記憶する接触用メモリと、前記接触用インターフェイス及び／又は前記非接触用インターフェイスと接続可能であって、非接触用のデータを記憶する非接触用メモリと、を含む携帯可能記憶媒体を製造する携帯可能記憶媒体の発行方法であって、前記接触インターフェイスに前記接触用メモリ及び前記非接触用メモリを接続して、データを書き込む書込工程と、前記データ書き込み工程でデータを書き込んだ後に、前記接触インターフェイスと前記非接触用メモリとを理論的又は物理的に切り離す切離工程と、を備え、前記切離工程は、前記接触インターフェイスと前記非接触用メモリとの切断を、フラグ処理によって行うこと、を特徴とする携帯可能記憶媒体の発行方法である。
【００１５】
請求項６の発明は、外部装置と接触して情報の授受を行う接触用インターフェイスと、外部装置と非接触で情報の授受を行う非接触用インターフェイスと、前記接触用インターフェイス及び／又は前記非接触用インターフェイスと接続可能であって、接触用のデータを記憶する接触用メモリと、前記接触用インターフェイス及び／又は前記非接触用インターフェイスと接続可能であって、非接触用のデータを記憶する非接触用メモリと、を含む携帯可能記憶媒体を製造する携帯可能記憶媒体の発行方法であって、前記非接触インターフェイスに前記接触用メモリ及び前記非接触用メモリを接続して、データを書き込む書込工程と、前記データ書き込み工程でデータを書き込んだ後に、前記非接触インターフェイスと前記接触用メモリとを理論的又は物理的に切り離す切離工程と、を備え、前記切離工程は、前記接触インターフェイスと前記非接触用メモリとの切断を、フラグ処理によって行うこと、を特徴とする携帯可能記憶媒体の発行方法である。
【００１６】
請求項７の発明は、外部装置と接触して情報の授受を行う接触用インターフェイスと、外部装置と非接触で情報の授受を行う非接触用インターフェイスと、前記接触用インターフェイス及び／又は前記非接触用インターフェイスと接続可能であって、接触用及び／又は非接触用のデータを記憶するメモリ領域と、前記メモリ領域を２以上のページに分割し、前記接触用インターフェイス及び／又は前記非接触用インターフェイスと前記２以上のページの内、特定のペ−ジとのデータの授受を規制するメモリアクセス規制手段と、前記メモリ領域上又は前記メモリ領域とは別の第２のメモリ領域上に前記２以上のページに１対１で対応したフラグを備え、前記メモリアクセス規制手段は、前記フラグにより、前記接触用インターフェイス及び／又は前記非接触用インターフェイスと前記特定のページとのデータの授受を規制すること、を特徴とする携帯可能記憶媒体である。
【００２５】
【発明の実施の形態】
次に、図面などを参照しながら、実施の形態をあげ、本発明をさらに詳細に説明する。なお、以下に説明する各実施形態では、携帯可能記憶媒体は、接触／非接触共用型のＩＣカード１０，２０，３０，３０Ｂを例にして説明する。
【００２６】
（第１実施形態）
図１は、本発明による携帯可能記憶媒体の第１実施形態を示すブロック図である。
第１実施形態のＩＣカード１０は、フラグによるメモリの切り替え方式を採用したものであって、メモリアクセス制御手段１１と、メモリアクセス手段１２と、メモリ１３と、接触インターフェイス１７と、非接触インターフェイス１８等とを備えている。
【００２７】
メモリ１３は、ＥＥＰＲＯＭなどにより構成されており、接触用のアプリケーション及びそのデータが記憶される接触用メモリ１４と、フラグ情報Ｆなどの非接触用／接触共通のデータが記憶される共有メモリ１５と、非接触用のアプリケーション及びそのデータが記憶される非接触用メモリ１６等とを備えている。
【００２８】
メモリアクセス制御手段１１は、共有メモリ１５内のフラグ情報Ｆを読み取り、解釈し、そのフラグ情報Ｆに基づいて、メモリアクセス手段１２の非接触用メモリ１６へのアクセス制御を行う手段である。
メモリアクセス手段１２は、接触インターフェイス１７と非接触インターフェイス１８に接続可能であって、接触用メモリ１４及び非接触用メモリ１６に、接触又は非接触によってアクセスする手段である。
なお、メモリアクセス制御手段１１、メモリアクセス手段１２及びメモリ１３は、１チップＩＣで構成することができる。
【００２９】
図２は、第１実施形態に係る携帯可能記憶媒体の発行処理を示すフローチャートである。
まず、図２（ａ）に示すように、メモリアクセス制御手段１１は、接触インターフェイス（接触部）１７からの書き込みコマンドを受信した場合には（Ｓ１００）、このルーチンをスタートし、共有メモリ１５から未発行フラグの読み出しを行ない（Ｓ１０１）、未発行か否かを判断し（Ｓ１０２）、肯定の場合には、Ｓ１０５にジャンプして、メモリアクセス手段１２によって、非接触用メモリ１６にデータの書き込みを行い、否定の場合には、Ｓ１０３に進む。
【００３０】
次に、非接触メモリ１６内か否かが判断され（Ｓ１０３）、肯定の場合には、Ｓ１０４に進み、アクセスエラー処理を行い、否定の場合（すなわち、接触メモリ１４内の場合）には、Ｓ１０５に進み、メモリアクセス手段１２によって、接触メモリ１４にデータの書き込みを行う。そして、レスポンス応答を行った後に（Ｓ１０６）、リターンする。
【００３１】
また、メモリアクセス制御手段１１は、図２（ｂ）に示すように、接触インターフェイス１７から発行済みフラグの書き換えコマンドを受信した場合には、このルーチンをスタートして、共有メモリ１５内の未発行フラグの書き換え（発行済み処理）を行って（Ｓ２０１）、レスポンス応答を行った後に（Ｓ２０２）、リターンする。
【００３２】
以上説明したように、第１実施形態によれば、メモリアクセス制御手段１１は、共有メモリ１５内のフラグ情報Ｆを読み取って、未発行の場合には、メモリアクセス手段１２によって、接触用メモリ１４及び非接触用メモリ１６に、接触インターフェイス１７からデータの書き込みを行うことができる。従って、発行時には、接触用メモリ１４及び非接触用メモリ１６に、接触インターフェイス１７で、安定・安全・高速にデータの書き込みを行うことができる。
【００３３】
また、メモリアクセス制御手段１１は、発行後の運用時には、共有メモリ１５内の未発行フラグの書き換え（発行済み処理）を行って、非接触用メモリ１６と接触インターフェイス１７とを、論理的に切り離すので、接触用メモリ１５と比較してセキュリティの低い非接触用メモリ１６への接触インターフェイス１７からのアクセスを不能にし、安全性の高いシステムを構築することができる。
なお、接触／非接触共用型のＩＣカードを、既存の接触型ＩＣカードの発行装置を用いて発行できるという効果もある。
【００３４】
以上説明した第１実施形態では、メモリアクセス制御手段１１は、共有メモリ１５内のフラグ情報Ｆを読み取って、未発行の場合には、メモリアクセス手段１２によって、接触用メモリ１４及び非接触用メモリ１６に、接触インターフェイス１７からデータの書き込みを行い、発行後の運用時には、共有メモリ１５内の未発行フラグの書き換え（発行済み処理）を行って、非接触用メモリ１６と接触インターフェイス１７とを、論理的に切り離すようにしたが、逆に、共有メモリ１５内のフラグ情報Ｆを読み取って、未発行の場合には、メモリアクセス手段１２によって、接触用メモリ１４及び非接触用メモリ１６に、非接触インターフェイス１８からデータの書き込みを行い、発行後の運用時には、共有メモリ１５内の未発行フラグの書き換え（発行済み処理）を行って、接触用メモリ１４と非接触インターフェイス１７とを、論理的に切り離すようにしてもよい。
この場合には、接触／非接触共用型のＩＣカードを、既存の非接触型ＩＣカードの発行装置のみを用いて発行できるという効果がある。
【００３５】
図３は、第１実施形態に係る携帯可能記憶媒体の変形形態を示すブロック図である。
図３のＩＣカード１０Ｂは、共有メモリがない場合である。この場合には、接触インターフェイス１７から接触によって、データの書き込みを行うときには、接触メモリ１４にフラグ情報Ｆを持たせればよい。
なお、非接触インターフェイス１８から非接触によって、データの書き込みを行うときには、図示はしないが、非接触メモリ１６にフラグ情報Ｆを持たせればよい。
【００３６】
（第２実施形態）
図４は、本発明による携帯可能記憶媒体の第２実施形態を示すブロック図である。なお、以下に記す実施形態の説明において前述した実施形態と同様な機能を果たす部分には、末尾に共通した符号を付して、重複する説明を適宜省略する。第２実施形態のＩＣカード２０は、ヒューズ等の物理的な切断手段による切り替え方式を採用したものであって、第１及び第２のヒューズ２１−１，２１−２と、メモリアクセス手段２２と、メモリ２３等とを備えている。
【００３７】
このＩＣカード２０では、接触メモリ２４及び非接触メモリ２６共に、接触インターフェイス２７と非接触インターフェイス２８のいずれからでも発行が可能である。例えば、第１のヒューズ２１−１によって、非接触メモリ２６に接触インターフェイス２７を介してデータ書き込みすることができる。また、第２のヒューズ２１−２によって、接触メモリ２４に非接触インターフェイス２８を介してデータ書き込みすることができる。
【００３８】
データ書き込み後は、第１及び第２のヒューズ２１−１，２１−２を切断することによって、接触メモリ２４と接触インターフェイス２７とが、また、非接触メモリ２６と非接触インターフェイス２８とが、それぞれ１対１に対応するようになり、異なるインターフェイスを使えなくする。
【００３９】
第２実施形態は、第１実施形態の効果に加えて、ヒューズによって物理的に切断するので、信号線でなくなり、メモリアクセス手段２２のデータを変更する処理を行う必要がない、という効果がある。
【００４０】
（第３実施形態）
図６は、本発明による携帯可能記憶媒体の第３実施形態を示すブロック図である。
第３実施形態のＩＣカード３０は、メモリアクセス規制手段３９によりメモリ領域の分割、データアクセスの規制などの管理を行うものであって、メモリアクセス手段３２と、メモリ３３と、接触インターフェイス３７と、非接触インターフェイス３８を備えている。
【００４１】
メモリ３３は、不揮発性メモリであり、ＥＥＰＲＯＭなどにより構成されている。ここでは、全容量が１６ＫＢ、総ページ数は、２５６ページのＥＥＰＲＯＭである。
【００４２】
メモリアクセス手段３２は、接触インターフェイス３７及び非接触インターフェイス３８に接続可能であって、メモリアクセス規制手段３９を介してメモリ３３に接触又は非接触によってアクセスする手段である。
【００４３】
メモリアクセス規制手段３９は、メモリ３３を領域分割し、接触インターフェイス３７及び／又は非接触インターフェイス３８からメモリ３３へのアクセスを規制する手段であり、領域制御フラグ３１を含んでいる。
【００４４】
図７は、メモリ３３と領域制御フラグ３１の関係を説明する図であり、図６の一部を詳細に示したものである。
第３実施形態のＩＣカードは、その発行時に、ＥＥＰＲＯＭの総ページ数２５６ページを、接触専用領域１２８ページ、非接触専用領域３２ページ、接触・非接触共用領域９６ページに区分される。
【００４５】
領域制御フラグ３１は、ＥＥＰＲＯＭの２５６ページに対応して、１ページにつき１ビット、合計２５６ビット（３２バイト）の領域制御用のフラグであり、メモリアクセス規制手段３９の一部である。セキュリティの高い接触専用領域に対応した領域制御フラグ３１は、セット状態にされる。それ以外の領域は、リセット状態とされる。
【００４６】
非接触インターフェイス３８を介して、メモリ３３へアクセスしようとすると、メモリアクセス規制手段３９は、領域制御フラグ３１をハードウェアで参照して、リセット状態の場合には、対応するペ−ジへのアクセスは、可能とするが、セット状態の場合は、対応するページへのアクセスを不可とする。
【００４７】
図８は、第３実施形態のＩＣカードの発行後に、メモリ３３の領域区分を変更した一例を示す図である。
図７に示した領域区分で発行されたＩＣカードにおいて、たとえば後から接触専用のアプリケーションをロードしたことにより発行時よりも多くの接触専用領域が必要になったとき、メモリアクセス規制手段３９は、接触・非接触共用領域の一部を接触専用領域へ変更するように、領域制御フラグ３１を書き換える。
【００４８】
図８に示す例では、３ＫＢ（４８ページ）の領域を接触・非接触共用領域から接触専用領域へ変更した。
【００４９】
以上説明したように、第３実施形態によれば、メモリアクセス規制手段３９は、領域制御フラグ３１により、外部からメモリ３３へのアクセスの規制を行うので、メモリ３３の領域毎の使用目的を任意のときに自由に変更することができ、ひとつのＩＣカードを様々な用途に使用可能なため、使用用途毎にカードを作成する必要がないので、汎用性のあるＩＣカードを低価格で提供できる。
【００５０】
（第４実施形態）
図９は、本発明による携帯可能記憶媒体の第４実施形態を示すブロック図である。
第４実施形態のＩＣカード３０Ｂは、メモリアクセス規制手段３９Ｂに含まれたプログラム４０によりメモリ領域の分割、データアクセスの規制などの管理を行うものであって、メモリアクセス手段３２と、メモリ３３と、接触インターフェイス３７と、非接触インターフェイス３８を備えている。
【００５１】
メモリアクセス規制手段３９Ｂは、メモリ３３を領域分割し、接触インターフェイス３７及び／又は非接触インターフェイス３８からメモリ３３へのアクセスを規制する手段であり、メモリへのアクセスを規制・制御するプログラム４０を含んでいる。
このプログラム４０によりメモリ３３は、ＥＥＰＲＯＭの総ページ数２５６ページを、接触専用領域１２８ページ、非接触専用領域３２ページ、接触・非接触共用領域９６ページに区分される。
【００５２】
図１０は、第４実施形態によるＩＣカードの、アクセス規制手段３９Ｂに含まれたプログラム４０により行われる、外部からメモリ３３へのアクセス規制の一例として、接触部から非接触専用領域へのアクセスを禁止としている場合の、プログラム４０の流れを説明するフローチャートである。
【００５３】
ステップ（以下、Ｓ）３００では、接触インターフェイス３７を介して、データの書き込みコマンドを受信する。
【００５４】
Ｓ３０１では、書き込もうとしている場所が非接触専用領域内か否かを判断し、非接触専用領域内のときは、Ｓ３０２へ進み、非接触専用領域外のときは、Ｓ３０３へ進む。
【００５５】
Ｓ３０２では、非接触専用領域内へのアクセスを禁止していることを使用者に知らせるなどのアクセスエラー処理を行い、Ｓ３０４へ進む。
【００５６】
Ｓ３０３では、接触専用領域へデータの書き込みを行った後、Ｓ３０４へ進む。
【００５７】
Ｓ３０４では、レスポンス応答を行った後、リターンする。
【００５８】
以上説明したように、第４実施形態によれば、メモリアクセス規制手段３９Ｂは、プログラム４０により、外部からメモリ３３へのアクセスの規制を行うので、メモリ３３の領域毎の使用目的を任意のときに自由に変更することができ、さらにアクセスの可、不可の判断基準も変更可能である。たとえば、接触部から非接触専用領域へのアクセスを禁止するＩＣカードであっても、接触部から非接触専用領域へのアクセスを可能とするような変更が必要なときには、プログラム４０の書き換えにより簡単に行える。このように、ひとつのＩＣカードを様々な用途に使用可能なため、使用用途毎にカードを作成する必要がないので、より汎用性の高いＩＣカードを低価格で提供できる。
【００５９】
（変形形態）
以上説明した実施形態に限定されることなく、種々の変形や変更が可能であって、それらも本発明の均等の範囲内である。
【００６０】
（１）  フラグは、具体的なアドレスでもよく、ヒューズは、媒体の所定の位置に設けられたスイッチでもよい。また、フラグやヒューズなどの数も複数でも良い。
【００６１】
（２）  メモリは、複数に分けられていてもよく運用の時点で、接触／非接触両方の共有メモリを含めてもよい。また、図５のように、３つのメモリは、連続している必要もない。発行後のメモリは、アドレス等で管理された複数の不連続なメモリ空間であってもよい。
【００６２】
（３）  領域制御フラグ及びプログラムは、何回でも書き換え可能な例を示したが、これに限らず、たとえば、セキュリティを高めるために、１回だけ書き込み可能となるように、ソフトウェア的又はハードウェア的に制限を付けてもよい。
【００６３】
（４）  領域制御フラグ及びプログラムは、データ用のメモリと共通のＥＥＰＲＯＭ内にあってもよいし、別に設けたＥＥＰＲＯＭ等に設けてもよい。
【００６４】
（５）  領域制御フラグは、接触専用領域を規定する例を示したが、これに限らず、非接触領域を規定してもよい。
【００６５】
（６）  接触・非接触共用領域は、未使用領域であってもよい。
【００６６】
【発明の効果】
以上詳しく説明したように、本発明によれば、接触用／非接触用の複数のメモリに対して、安定・安全・高速に書き込み／読み出しを行うことができ、その後に、フラグやヒューズ等により、メモリアクセスの方法を切り替えて、運用上のセキュリティの高低に応じて、接触用／非接触用のメモリを区別して、安全かつ利便性の高い運用をすることができる、という効果がある。
【００６７】
また、接触用／非接触用のいずれかの媒体発行装置のみで、接触用／非接触用の両方のメモリに対して、データを書き込むことができるので、既存設備を有効に活用することができる。
【００６８】
さらに、接触用／非接触用等の使用目的毎に区分されたメモリ領域及びアクセスの規制基準を発行後でも自由に変更可能であるので、同じチップでより多くの利用目的に対応することができる。
【図面の簡単な説明】
【図１】本発明による携帯可能記憶媒体の第１実施形態を示すブロック図である。
【図２】第１実施形態にかかる携帯可能記憶媒体の発行処理を示すフローチャートである。
【図３】第１実施形態に係る携帯可能記憶媒体の変形形態を示すブロック図である。
【図４】本発明による携帯可能記憶媒体の第２実施形態を示すブロック図である。
【図５】本実施形態に係る携帯可能記憶媒体のメモリを説明する図である。
【図６】本発明による携帯可能記憶媒体の第３実施形態を示すブロック図である。
【図７】第３実施形態における領域制御フラグとメモリの関係を示す図である。
【図８】第３実施形態における領域変更後の領域制御フラグとメモリの関係を示す図である。
【図９】本発明による携帯可能記憶媒体の第４実施形態を示すブロック図である。
【図１０】第４実施形態にかかる携帯可能記憶媒体のメモリアクセス処理を示すフローチャートである。
【符号の説明】
１０，２０，３０，３０Ｂ  ＩＣカード
１１    メモリアクセス制御手段
２１−１，２１−２  ヒューズ
１２，２２，３２  メモリアクセス手段
１３，２３，３３  メモリ
１４，２４  接触用メモリ
１５  共有メモリ
１６，２６  非接触用メモリ
Ｆ  フラグ情報
３９，３９Ｂ  メモリアクセス規制手段
４０  プログラム
【図１】
0004231148.tif 000002
【図２】
0004231148.tif 000003
【図３】
0004231148.tif 000004
【図４】
0004231148.tif 000005
【図５】
0004231148.tif 000006
【図６】
0004231148.tif 000007
【図７】
0004231148.tif 000008
【図８】
0004231148.tif 000009
【図９】
0004231148.tif 000010
【図１０】
0004231148.tif 000011